(57)【要約】【課題】  ＩＣタグ読取手段を有し、キャンペーンに対して商品に付したＩＣタグを用いて応募受付可能とするＩＣタグ回収ボックス等を提供する。【解決手段】  キャンペーン受付システム１００は、キャンペーン受付装置１０１と、ＩＣタグ回収ボックス１０２等により実現され、ＩＣタグ回収ボックス底面に、ボックス内に回収した１又は複数のＩＣタグ１０３に記憶した応募ＩＤを読み取るＩＣタグリーダ２０６が配置される。キャンペーン受付装置１０１は、ＩＣタグリーダ２０６を介して、読み取った応募ＩＤ１２２の中から、応募ＩＤ情報データベース１２０に基づいて、応募対象の新規ＩＣタグの応募ＩＤ１２２を判定し、応募ＩＤ情報データベース１２０の応募ＩＤ情報に基づいて、応募対象の応募ＩＤの当落を表示する。【選択図】  図１
2006012007.tif 000002
【特許請求の範囲】
【請求項１】
キャンペーン対象となる商品に付したＩＣタグを用いてキャンペーン受付を行うコンピュータに接続された、前記ＩＣタグを回収するＩＣタグ回収ボックスであって、
天面、側面、前面いずれかにＩＣタグ挿入口が形成され、内部が中空の箱状部と、
前記箱状部底面に設けられる、回収した１又は複数のＩＣタグに記憶した応募ＩＤを読み取るＩＣタグ読取手段と、
読み取った応募ＩＤを前記コンピュータに送信する送信手段と、
を具備することを特徴とするＩＣタグ回収ボックス。
【請求項２】
キャンペーン対象となる商品に付したＩＣタグを用いてキャンペーン受付を行うコンピュータに接続された、前記ＩＣタグを回収するＩＣタグ回収ボックスであって、
ボックスの天面、側面、前面いずれかにＩＣタグ挿入口が形成された内部が中空の箱状部と、
前記ＩＣタグ挿入口内部に傾斜をつけて設けられる、投入された１又は複数のＩＣタグに記憶した応募ＩＤを読み取るＩＣタグ読取手段と、
読み取った応募ＩＤを前記コンピュータに送信する送信手段と、
を具備することを特徴とするＩＣタグ回収ボックス。
【請求項３】
前記ＩＣタグ読取手段上面に、ＩＣタグ挿入口から前記ＩＣタグ読取手段に沿って、ガイドが設けられることを特徴とする請求項２に記載のＩＣタグ回収ボックス。
【請求項４】
キャンペーン対象となる商品に付したＩＣタグを回収するＩＣタグ回収ボックスと、前記ＩＣタグを用いてキャンペーン受付を行うコンピュータと、が接続されたシステムであって、
前記ＩＣタグ回収ボックスは、
ボックスの天面、側面、前面いずれかにＩＣタグ挿入口が形成された内部が中空の箱状部と、
ＩＣタグ回収ボックス底面に設けられる、ボックス内に回収した１又は複数のＩＣタグに記憶した応募ＩＤを読み取るＩＣタグ読取手段、
読み取った応募ＩＤを前記コンピュータに送信する送信手段と、
を具備し、
前記コンピュータは、
応募ＩＤ、当落情報を有する複数の応募ＩＤ情報を記憶する応募情報データベースと、
前記応募ＩＤ情報データベースに基づいて、受け取った応募ＩＤの中から、応募対象である新規に投入されたＩＣタグの応募ＩＤを判定する判定手段と、
前記応募ＩＤ情報データベースの応募ＩＤ情報に基づいて、応募対象の応募ＩＤの当落情報を表示する当落照会手段と、
を具備することを特徴とするキャンペーン受付システム。
【請求項５】
キャンペーン対象となる商品に付したＩＣタグを回収するＩＣタグ回収ボックスと、前記ＩＣタグを用いてキャンペーン受付を行うコンピュータと、が接続されたシステムであって、
前記ＩＣタグ回収ボックスは、
ボックスの天面、側面、前面いずれかにＩＣタグ挿入口が形成された内部が中空の箱状部と、
前記ＩＣタグ挿入口内部に傾斜をつけて設けられる、投入された１又は複数のＩＣタグに記憶した応募ＩＤを読み取り、接続された前記ＩＣタグを用いて応募受付を行うコンピュータに前記応募ＩＤを送るＩＣタグ読取手段と、
読み取った応募ＩＤを前記コンピュータに送信する送信手段と、
を具備し、
前記コンピュータは、
応募ＩＤ、当落情報を有する複数の応募ＩＤ情報を記憶する応募情報データベースと、
前記応募ＩＤ情報データベースの応募ＩＤ情報に基づいて、受け取った応募ＩＤの当落情報を表示する当落照会手段と、
を具備することを特徴とするキャンペーン受付システム。
【請求項６】
コンピュータを請求項４又は請求項５に記載のキャンペーン受付システムとして機能させるプログラム。
【請求項７】
コンピュータを請求項４又は請求項５に記載のキャンペーン受付システムとして機能させるプログラムを記録した記録媒体。
【発明の詳細な説明】
【技術分野】
【０００１】
本発明は、キャンペーンに対して、商品に付したＩＣタグを用いて応募するキャンペーン受付システムにおけるＩＣタグ回収ボックスに関する。
【背景技術】
【０００２】
従来、企業が販売する商品、特に飲料商品や食品では、販売促進キャンペーンとして、商品の購入者が応募することにより、景品が当たる等のサービスが行われている。キャンペーンを実施する際は、応募者が買い上げた商品等に付されたシールや紙片を応募用紙や葉書等に貼りつけて郵送等で応募したり、パーソナルコンピュータや携帯電話等から、インターネット等を介して、キャンペーンを実施している所定のサイトにアクセスし、応募ＩＤ等を入力、応募する。キャンペーンの主催者は、応募に対して抽選等を行い、当たりであれば、所定のサービスや景品を、配送等により提供する。（例えば、特許文献１）
また、昨今、ＩＣタグを利用して、各種流通情報を管理するシステムが数多く存在する。
【０００３】
【特許文献１】特開平１１−６６１５２号公報
【発明の開示】
【発明が解決しようとする課題】
【０００４】
しかしながら、従来のキャンペーン方法においては、応募者は、郵送等による応募では、応募結果を即時的に確認できない、また、インターネット等を介した応募では、応募結果をリアルタイムで確認できたとしても、景品やサービス等の取得に時間がかかるという問題があった。
また、ＩＣタグは基材上に金属（アルミニウム、銅等）のアンテナとＩＣチップから形成されており、不要となったＩＣタグは、ＩＣタグを添付した企業が産業廃棄物として、通常のゴミとは分別して回収することが望ましい。
【０００５】
本発明は、以上の点に鑑みてなされたものであり、ＩＣタグ読取手段を有し、キャンペーンに対して商品に付したＩＣタグを回収すると共に、応募受付可能とするＩＣタグ回収ボックス等を提供することを目的とする。
【課題を解決するための手段】
【０００６】
前述した目的を達成するために第１の発明は、キャンペーン対象となる商品に付したＩＣタグを用いてキャンペーン受付を行うコンピュータに接続された、前記ＩＣタグを回収するＩＣタグ回収ボックスであって、天面、側面、前面いずれかにＩＣタグ挿入口が形成され、内部が中空の箱状部と、前記箱状部底面に設けられる、回収した１又は複数のＩＣタグに記憶した応募ＩＤを読み取るＩＣタグ読取手段と、前記コンピュータに読み取った応募ＩＤを送信する送信手段と、を具備することを特徴とするＩＣタグ回収ボックスである。
【０００７】
第１の発明では、ＩＣタグ回収ボックスは、天面、側面、前面いずれかにＩＣタグ挿入口を形成し内部が中空の箱状部と、箱状部底面にＩＣタグ読取手段とを設け、回収した１又は複数のＩＣタグに記憶した応募ＩＤを読み取り、接続されたＩＣタグを用いてキャンペーン受付を行うコンピュータに応募ＩＤを送る。
【０００８】
「ＩＣタグ」は、キャンペーン対象商品に貼付されており、基材上に形成されたコイル状のアンテナとＩＣチップから構成され、ＩＣチップには、キャンペーン対象商品に対する応募ＩＤが書き込まれている。
「ＩＣタグリーダ」は、ＩＣタグから記憶されている応募ＩＤを読み取る。
【０００９】
第２の発明は、キャンペーン対象となる商品に付したＩＣタグを用いてキャンペーン受付を行うコンピュータに接続された、前記ＩＣタグを回収するＩＣタグ回収ボックスであって、ボックスの天面、側面、前面いずれかにＩＣタグ挿入口が形成された内部が中空の箱状部と、前記ＩＣタグ挿入口内部に傾斜をつけて設けられる、投入された１又は複数のＩＣタグに記憶した応募ＩＤを読み取るＩＣタグ読取手段と、前記コンピュータに読み取った応募ＩＤを送信する送信手段と、を具備することを特徴とするＩＣタグ回収ボックスである。
第２の発明では、ＩＣタグ回収ボックスは、天面、側面、前面いずれかにＩＣタグ挿入口を形成し内部が中空の箱状部と、ＩＣタグ挿入口内部に傾斜をつけてＩＣタグ読取手段を設け、投入された１又は複数のＩＣタグに記憶した応募ＩＤを読み取り、接続されたＩＣタグを用いてキャンペーン受付を行うコンピュータに応募ＩＤを送信する。
【００１０】
第３の発明は、キャンペーン対象となる商品に付したＩＣタグを回収するＩＣタグ回収ボックスと、前記ＩＣタグを用いてキャンペーン受付を行うコンピュータと、が接続されたシステムであって、前記ＩＣタグ回収ボックスは、ボックスの天面、側面、前面いずれかにＩＣタグ挿入口が形成された内部が中空の箱状部と、ＩＣタグ回収ボックス底面に設けられ、ボックス内に回収した１又は複数のＩＣタグに記憶した応募ＩＤを読み取るＩＣタグ読取手段、前記コンピュータに読み取った応募ＩＤを送信する送信手段と、を具備し、前記コンピュータは、応募ＩＤ、当落情報を有する複数の応募ＩＤ情報を記憶する応募情報データベースと、前記応募ＩＤ情報データベースに基づいて、受け取った応募ＩＤの中から、応募対象である新規に投入されたＩＣタグの応募ＩＤを判定する判定手段と、前記応募ＩＤ情報データベースの応募ＩＤ情報に基づいて、応募対象の応募ＩＤの当落情報を表示する当落照会手段と、を具備することを特徴とするキャンペーン受付システムである。
【００１１】
第３の発明では、ＩＣタグ回収ボックスは、ボックスの天面、側面、前面いずれかにＩＣタグ挿入口が形成された内部が中空の箱状部と、箱状部底面にＩＣタグ読取手段を設け、ボックス内に回収した１又は複数のＩＣタグに記憶した応募ＩＤを読み取り、コンピュータに読み取った応募ＩＤを送信する。コンピュータは、応募ＩＤ、当落情報を有する複数の応募ＩＤ情報を記憶する応募情報データベースを有し、応募ＩＤ情報データベースに基づいて、受け取った応募ＩＤの中から、応募対象である新規に投入されたＩＣタグの応募ＩＤを判定し、応募ＩＤ情報データベースの応募ＩＤ情報に基づいて、応募対象の応募ＩＤの当落情報を表示する。
【００１２】
第４の発明は、キャンペーン対象となる商品に付したＩＣタグを回収するＩＣタグ回収ボックスと、前記ＩＣタグを用いてキャンペーン受付を行うコンピュータと、が接続されたシステムであって、前記ＩＣタグ回収ボックスは、ボックスの天面、側面、前面いずれかにＩＣタグ挿入口が形成された内部が中空の箱状部と、前記ＩＣタグ挿入口内部に傾斜をつけて設けられる、投入された１又は複数のＩＣタグに記憶した応募ＩＤを読み取り、接続された前記ＩＣタグを用いて応募受付を行うコンピュータに前記応募ＩＤを送るＩＣタグ読取手段と、前記コンピュータに読み取った応募ＩＤを送信する送信手段と、を具備し、前記コンピュータは、応募ＩＤ、当落情報を有する複数の応募ＩＤ情報を記憶する応募情報データベースと、前記応募ＩＤ情報データベースの応募ＩＤ情報に基づいて、受け取った応募ＩＤの当落情報を表示する当落照会手段と、を具備することを特徴とするキャンペーン受付システムである。
【００１３】
第４の発明は、ＩＣタグ回収ボックスは、天面、側面、前面いずれかにＩＣタグ挿入口を形成し内部が中空の箱状部と、ＩＣタグ挿入口内部に傾斜をつけてＩＣタグ読取手段を設け、投入された１又は複数のＩＣタグに記憶した応募ＩＤを読み取り、接続されたＩＣタグを用いてキャンペーン受付を行うコンピュータに応募ＩＤを送信する。コンピュータは、応募ＩＤ、当落情報を有する複数の応募ＩＤ情報を記憶する応募情報データベースを有し、応募ＩＤ情報データベースの応募ＩＤ情報に基づいて、受け取った応募ＩＤの当落情報を表示する。
【００１４】
第５の発明は、コンピュータを第３の発明又は第４の発明のキャンペーン受付システムとして機能させるプログラムである。
第６の発明は、コンピュータを第３の発明又は第４の発明のキャンペーン受付システムとして機能させるプログラムを記録した記録媒体である。
【００１５】
上述のプログラムをＣＤ−ＲＯＭ等の記録媒体に保持させて流通させてもよいし、このプログラムを通信回線を介して送受することもできる。
【発明の効果】
【００１６】
本発明は、キャンペーンに対して、ＩＣタグ読取手段を有し、キャンペーンに対して商品に付したＩＣタグを用いて応募受付可能とするＩＣタグ回収ボックス等を提供することができる。
【発明を実施するための最良の形態】
【００１７】
以下に、添付図面を参照しながら、本発明に係るＩＣタグ回収ボックスおよびＩＣタグ回収ボックスを備えるキャンペーン受付システム等の好適な実施形態について詳細に説明する。尚、以下の説明および添付図面において、略同一の機能構成を有する構成要素については、同一の符号を付することにより重複説明を省略することにする。尚、本発明に使用する「ＩＣタグ」は、一般的には基材上に形成されたアンテナパターンと、それに接続したＩＣチップとから構成されている「非接触ＩＣタグ」（一般に、「非接触ＩＣ」、「非接触ＩＣラベル」、「非接触データキャリア」と表現されることもある。）である。
【００１８】
図１は、本発明の本実施の形態に係るキャンペーン受付システム１００の外観斜視図を示す図である。図２は、ＩＣタグ回収ボックス１０２の透過斜視図である。
【００１９】
図１に示すように、キャンペーン受付システム１００は、キャンペーン受付装置１０１と、ＩＣタグ回収ボックス１０２等により実現される。
キャンペーン受付装置１０１は、ＩＣタグ回収ボックス１０２に備えるＩＣタグリーダ２０６により、読み取った複数のＩＣタグに記憶した応募ＩＤから、応募対象のＩＣタグの応募ＩＤを判定し、当落照会等を行う。キャンペーン受付装置１０１の天面には、応募受付案内や、操作の状況や、当落情報等を表示するタッチパネル付きモニタ等であるモニタ画面２１０が配置されている。
また、外観からは明確に認識できないが、キャンペーン受付装置１０１の筐体内には、キャンペーン受付装置１０１の各構成部分を制御するための制御部２０１を含むパーソナルコンピュータが設置される。
【００２０】
図２に示すように、ＩＣタグ回収ボックス１０２は、内部が中空の箱状であり、ＩＣタグ回収ボックス１０２の天面には、ＩＣタグ１０３や複数のＩＣタグ１０３を貼った応募シート１０４を投入するＩＣタグ挿入口２１１が配置され、ＩＣタグ回収ボックス１０２の底面には、回収されたＩＣタグ１０３や、応募シート１０４に貼付したＩＣタグ１０３に記憶される応募ＩＤを読み取るＩＣタグリーダ２０６が配置されている。
図３は、ＩＣタグ回収ボックス１０２の外観斜視図に示す。図３に示すように、ＩＣタグ挿入口２１１は、ＩＣタグ回収ボックス１０２の前面、あるいは側面に、配置されてもよい。
【００２１】
次に、キャンペーン受付装置１０１、ＩＣタグ回収ボックス１０２のハードウェア構成を説明する。図４は、キャンペーン受付装置１０１、ＩＣタグ回収ボックス１０２のハードウェア構成図である。
【００２２】
図４に示すように、キャンペーン受付装置１０１は、制御部２０１、記憶装置２０２（ハードディスク）、メディア入出力部２０３（ＣＤ−ＲＯＭ）、通信制御部２０４（通信制御装置、通信ポート等）、モニタ２０５（タッチパネル付き）等がバス２０９を介して接続される。更に、キャンペーン受付装置１０１と、ＩＣタグ回収ボックス１０２内のＩＣタグリーダ２０６等が、バス２０９を介して接続される。
【００２３】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２４】
記憶装置２０２には、各構成部分を駆動制御する制御プログラム３１０、キャンペーン受付プログラム３１１、及び応募ＩＤ情報データベース１２０等が格納されている。
【００２５】
これらの各プログラムコードは、制御部２０１により必要に応じて読み出されてＲＡＭに移され、ＣＰＵに読み出されて各種の手段として実行される。
【００２６】
入出力部２０３（ＣＤ−ＲＯＭドライブ装置、キーボード、マウス等）は、制御部２０１のＲＯＭや記憶装置２０２に記憶されているプログラムや情報をバージョンアップ、機器設定等の設定を行う際に用いられる。
【００２７】
通信制御部２０４は、通信制御装置、通信ポート等であり、ネットワーク１０９を介して、センタコンピュータとキャンペーン受付装置１０１間の通信制御を行う。
【００２８】
モニタ２０５に表示された操作案内に従って、同モニタ２０５に表示されたタッチパネルボタンを選択し触れることにより、応募受付、当落照会までの一連の操作を行うことができる。
【００２９】
ＩＣタグリーダ２０６は、ＩＣタグ１０３に記憶した応募ＩＤの読み取りを行う。ＩＣタグリーダ２０６は、固定のターミナルタイプをバス２０９に接続するか、ネットワーク型のタイプを使用してもよい。ネットワーク型の場合には、ＩＣタグリーダ２０６とパーソナルコンピュータとの間ではＰＨＳ、無線ＬＡＮ等により通信を行う。
【００３０】
次に、記憶装置２０２におけるキャンペーン受付システム関連のファイル配置について説明する。図５は、記憶装置２０２におけるキャンペーン受付システム関連のファイル配置を示す。
図５に示すように、記憶装置２０２内には、応募ＩＤ情報データベース１２０、及び制御プログラム３１０、キャンペーン受付プログラム３１１等が格納されている。
【００３１】
応募ＩＤ情報データベース１２０には、複数の応募ＩＤ情報１２１からなる。応募ＩＤ情報１２１は、応募ＩＤ１２２、当落情報１２３、受付日１２４等の情報から構成される。応募ＩＤ１２２と当落情報１２３は、予主催者側のセンタコンピュータ等で、予め、応募ＩＤ情報データベース１２０に記憶しておく。受付日１２４は応募受付日であり、応募受付後、応募ＩＤ情報データベース１２０に書き込まれる。
尚、応募ＩＤ情報データベース１２０は、予め、キャンペーンの主催者側のセンタコンピュータから、ネットワークを介して受信するか、記録媒体を介して、読み込み、記憶装置２０２に記憶する。
【００３２】
制御プログラム３１０は、キャンペーン受付装置１０１の各構成部分を駆動制御するプログラムである。
キャンペーン受付プログラム３１１は、実行可能プログラムであり、応募ＩＤを読み取り、応募受付、当落照会を行う処理に該当するプログラムである。
【００３３】
次に、ＩＣタグリーダ２０６により読み取るＩＣタグ１０３について説明する。図６は、ＩＣタグ１０３を示す。図６に示すように、ＩＣタグ１０３は、通常は金属層を積層した紙やプラスチック等の基材１３１に、コイル状のアンテナ１３２を形成し、ＩＣチップ１３３を接続することにより形成する。ＩＣチップ１３３は、アンテナ１３２の両端部に接続する。
【００３４】
次に、図７を参照しながら、キャンペーン受付システム１００の処理手順を説明する。図７は、キャンペーン受付システム１００の処理手順を示すフローチャートである。
【００３５】
応募者は、コンビニエンスストア等の店頭に設置されているＩＣ回収ボックス１０２のＩＣタグ挿入口２１１に、ＩＣタグ１０３や、ＩＣタグ１０３を貼り付けた応募シート１０４を投入する（ステップ７０１）。例えば、応募者は、飲料商品や食品であるキャンペーン対象の商品１０５又は商品１０５の包装に貼付されているＩＣタグ１０３を応募シート１０４に貼り付け、応募箱として機能するＩＣタグ回収ボックス１０２に応募シート１０４を投入する。
【００３６】
キャンペーン受付装置１０１の制御部２０１は、ＩＣタグ回収ボックス１０２のＩＣタグリーダ２０６を介して、ボックス内に回収された複数のＩＣタグ１０３や複数の応募シート１０４に付したＩＣタグ１０３に記憶した応募ＩＤ１２２を一括して読み取る（ステップ７０２）。
【００３７】
図８（ａ）は、回収された応募シート１０４を示すＩＣタグ回収ボックス１０２の断面図であり、図８（ｂ）は、回収されたＩＣタグ１０３を示すＩＣタグ回収ボックス１０２の断面図である。図８（ａ）（ｂ）に示すように、ＩＣタグ回収ボックス１０２内には、ＩＣタグリーダ２０６上に、複数の応募シート１０４、又はＩＣタグ１０３が重なって回収されている。
ＩＣタグリーダ２０６は、ＩＣタグ１０３に対して共振する呼び出し信号を発信し、各ＩＣタグ１０３からの応答信号を読み、ＩＣチップ１３３に記録した情報（応募ＩＤ）の読み取りを行う。
【００３８】
制御部２０１は、読み取った複数の応募ＩＤ１２２の中から、投入された新規ＩＣタグの応募ＩＤ判定処理を行う（ステップ７０３）。
新規ＩＣタグの応募ＩＤ判定処理は、例えば、読み取った各応募ＩＤ１２２に対して、応募ＩＤ情報データベース１２０の該当する応募ＩＤ情報１２１の受付日１２４に基づいて、受付済みか否かを判定し、受付されていない（例えば、受付日１２４が０クリア）場合、新規ＩＣタグの応募ＩＤ１２２とし、応募対象の応募ＩＤ１２２に設定し、応募口数９１０をカウントアップする。
【００３９】
制御部２０１は、モニタ画面２１０に受付画面９０１を表示する（ステップ７０４）。図９は、応募受付から当落照会の画面遷移を示す。
図９に示すように、受付画面９０１には、応募口数９１０が表示される。
【００４０】
制御部２０１は、モニタ画面２１０のタッチパネルボタン押下、又は所定時間経過後、当落照会処理に移行する。
【００４１】
制御部２０１は、応募ＩＤ情報データベース１２０から、応募対象の当該応募ＩＤ１２２の応募ＩＤ情報１２１を抽出する（ステップ７０５）。
制御部２０１は、当該応募ＩＤ１２２の当落情報１２３に応じた当落を知らせる当落照会画面９０２を表示する（ステップ７０６）。当落照会画面９０２には、抽選回数９１１（例えば、１口目）と、その当落９１２（例えば、「当たり」）を示す。また、「当たり」の場合は、制御部２０１は、店頭での景品やサービスの入手等を促すメッセージ等を表示する。
制御部２０１は、記憶装置２０２内の応募ＩＤ情報データベース１２０の当該応募ＩＤ情報１２１に、応募受付済みを示す受付日１２４を書き込む（ステップ７０７）。
【００４２】
応募口数９１０の抽選を終了するまで（ステップ７０８のＮｏ）、制御部２０１は、ステップ７０５からステップ７０８の応募ＩＤ１２２に対する当落照会処理を行う。
応募口数９１０の抽選を終了すると（ステップ７０８のＹｅｓ）、制御部２０１は、終了画面９０４を表示する（ステップ７０９）。
【００４３】
以上説明したように、本発明の実施の形態によれば、ＩＣタグ回収ボックス底面に、ボックス内に回収した１又は複数のＩＣタグ１０３に記憶した応募ＩＤを読み取るＩＣタグリーダ２０６が配置される。キャンペーン受付装置１０１は、ＩＣタグ回収ボックス１０２のＩＣタグリーダ２０６を介して、読み取った応募ＩＤ１２２の中から、応募ＩＤ情報データベース１２０に基づいて、応募対象の新規ＩＣタグの応募ＩＤ１２２を判定し、応募ＩＤ情報データベース１２０の応募ＩＤ情報に基づいて、応募対象の応募ＩＤの当落を表示する。
【００４４】
これにより、クローズドキャンペーン等において、応募受付可能とすると同時に、不要となったＩＣタグの分別回収を可能とする。また、店頭において、応募結果を即時に確認でき、景品やサービス等の入手に時間がかからないという効果から、応募者の応募意欲が増し、ＩＣタグ分別回収も進むという相乗効果を生む。
【００４５】
次に、他の実施の形態について説明する。本実施の形態に係るキャンペーン受付システム１０００のＩＣタグ回収ボックス１０２は、ＩＣタグ挿入口内部に傾斜をつけて配置するＩＣタグリーダ２０６を備える。図１０は、キャンペーン受付システム１０００の外観斜視図を示す。図１１は、図１０のＡ−ＡによるＩＣタグ回収ボックス１０２の断面図である。
【００４６】
図１０に示すように、キャンペーン受付システム１０００は、キャンペーン受付装置１０１と、ＩＣタグ回収ボックス１０２等により実現される。
キャンペーン受付装置１０１は、ＩＣタグ回収ボックス１０２に備えるＩＣタグリーダ２０６により、読み取った複数のＩＣタグに記憶した応募ＩＤの当落照会等を行う。キャンペーン受付装置１０１の上部の天面には、応募受付案内や、操作の状況や、当落情報等を表示するタッチパネル付きモニタ等であるモニタ画面２１０が配置されている。
また、外観からは明確に認識できないが、キャンペーン受付装置１０１の筐体内には、キャンペーン受付装置１０１の各構成部分を制御するための制御部２０１を含むパーソナルコンピュータが設置される。
【００４７】
図１１に示すように、ＩＣタグ回収ボックス１０２は、内部が中空となっており、ＩＣタグ回収ボックス１０２の天面には、ＩＣタグ１０３や複数のＩＣタグ１０３を貼った応募シート１０４を投入するＩＣタグ挿入口２１１が配置され、ＩＣタグ挿入口２１１内部に傾斜をつけて板状のガイド２１２が配置され、ガイド２１２背面にはガイド２１２に沿って、傾斜をつけてＩＣタグリーダ２０６が配置される。この傾斜により、ＩＣタグ挿入口２１１から投入されたＩＣタグ１０３、又は応募シート１０４は、１枚ずつ、ガイド２１２をスライドしながらＩＣタグリーダ２０６により読み取られる。これにより、ＩＣタグリーダ２０６は、ＩＣタグ１０３を読み取る時間を伸ばし、ＩＣタグ１０３を確実に読み取ることを可能とする。
【００４８】
図１２は、ＩＣタグ回収ボックス１０２の外観斜視図に示す。図１３は、図１２のＢ−ＢによるＩＣタグ回収ボックス１０２の断面図である。
図１２に示すように、ＩＣタグ挿入口２１１は、ＩＣタグ回収ボックス１０２の前面（又は側面）に、配置してもよい。図１３に示すように、前面に設けたＩＣタグ挿入口２１１内部に傾斜をつけて板状のガイド２１２が配置され、ガイド２１２背面にはガイド２１２に沿って、投入された１又は複数のＩＣタグに記憶した応募ＩＤを読み取るＩＣタグリーダ２０６が配置される。
【００４９】
キャンペーン受付システム１０００の処理手順における特徴点は、ＩＣタグ挿入口２１１から傾斜をつけてＩＣタグリーダ２０６が配置されることにより、ＩＣタグリーダ２０６により読み取ったＩＣタグ１０３が応募対象のＩＣタグ１０３となり、制御部２０１は、キャンペーン受付システム１００における複数のＩＣタグの中から応募対象の新規ＩＣタグを判定する判定処理を行わず、読み取った応募ＩＤの当落照会処理を行う。
【００５０】
以上説明したように、本発明の実施の形態によれば、ＩＣタグ回収ボックス１０２のＩＣタグ挿入口２１１内部に傾斜をつけて板状のガイド２１２が配置され、ガイド２１２背面にはガイド２１２に沿って、投入された１又は複数のＩＣタグに記憶した応募ＩＤを読み取るＩＣタグリーダ２０６が配置される。キャンペーン受付装置１０１は、ＩＣタグ回収ボックス１０２のＩＣタグリーダ２０６を介して応募ＩＤ１２２を読み取り、応募ＩＤ情報データベース１２０に基づいて、読み取った応募ＩＤ１２２の当落を表示する。
【００５１】
これにより、クローズドキャンペーン等において、応募受付可能とすると同時に、不要となったＩＣタグの分別回収を可能とする。
また、ＩＣタグ回収ボックス１０２のＩＣタグ挿入口２１１内部に傾斜をつけてＩＣタグリーダ２０６を設けることにより、ＩＣタグリーダ２０６は、ＩＣタグを読み取る時間を伸ばし、ＩＣタグ１０３を確実に読み取ることを可能とし、回収ボックス内の複数のＩＣタグの中から新規ＩＣタグを認識する必要がなく、応募受付処理、当落照会処理の処理時間が削減される。
【００５２】
尚、本実施の形態では、ＩＣタグ回収ボックス１０２とキャンペーン受付装置１０１を隣接して配置し、ＩＣタグリーダ２０６をキャンペーン受付装置１０１に直接（又はアンテナ装置を介して）接続させ、ＩＣタグ１０３から読み取った応募情報をキャンペーン受付装置１０１に送り、応募受付処理、当落照会処理等を行ったが、ＩＣタグ回収ボックス１０２に通信制御部を設け、ＩＣタグリーダ２０６からの読み取った応募情報を、通信制御部、ネットワーク１０９を介して、遠隔地のキャンペーン受付装置１０１やセンタコンピュータに送って、応募受付、当落照会処理等を行ってもよい。
【００５３】
尚、図６等に示す処理を行うプログラムはＣＤ−ＲＯＭ等の記録媒体に保持させて流通させてもよいし、このプログラムを通信回線を介して送受することもできる。
【００５４】
以上、添付図面を参照しながら、本発明に係るキャンペーン受付システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５５】
【図１】本発明の本実施の形態に係るキャンペーン受付システム１００の外観斜視図を示す図
【図２】ＩＣタグ回収ボックス１０２の透過斜視図
【図３】ＩＣタグ回収ボックス１０２の外観斜視図
【図４】キャンペーン受付装置１０１、ＩＣタグ回収ボックス１０２のハードウェア構成図
【図５】記憶装置２０２におけるキャンペーン受付システム関連のファイル配置を示す図
【図６】ＩＣタグ１０３を示す図
【図７】キャンペーン受付システム１００の処理手順を示すフローチャート
【図８】回収されたＩＣタグ１０３や応募シート１０４を示すＩＣタグ回収ボックス１０２の断面図
【図９】応募受付から当落照会の画面遷移を示す図
【図１０】キャンペーン受付システム１０００の外観斜視図を示す図
【図１１】図１０のＡ−ＡによるＩＣタグ回収ボックス１０２の断面図
【図１２】ＩＣタグ回収ボックス１０２の外観斜視図に示す図
【図１３】図１２のＢ−ＢによるＩＣタグ回収ボックス１０２の断面図
【符号の説明】
【００５６】
１００、１０００………キャンペーン受付システム
１０１………キャンペーン受付装置
１０２………ＩＣタグ回収ボックス
１０３………ＩＣタグ
１０４………応募シート
１２０………応募ＩＤ情報データベース
１２１………応募ＩＤ情報
１２２………応募ＩＤ
１２３………当落情報
１２４………受付日
１３１………基材
１３２………アンテナ
１３３………ＩＣチップ
２０１………制御部
２０２………記憶装置
２０６………ＩＣタグリーダ
２１１………ＩＣタグ挿入口
２１２………ガイド
【図１】
2006012007.tif 000003
【図２】
2006012007.tif 000004
【図３】
2006012007.tif 000005
【図４】
2006012007.tif 000006
【図５】
2006012007.tif 000007
【図６】
2006012007.tif 000008
【図７】
2006012007.tif 000009
【図８】
2006012007.tif 000010
【図９】
2006012007.tif 000011
【図１０】
2006012007.tif 000012
【図１１】
2006012007.tif 000013
【図１２】
2006012007.tif 000014
【図１３】
2006012007.tif 000015